(57)【特許請求の範囲】
【請求項１】
端末本体にスライド自在に可動部が連結され、前記端末本体と可動部との間に付勢力を作用させるトーションバネを備えている携帯端末であって、
前記トーションバネが、線材の成形によりコイル状部と、コイル状部に連設される一対の線状の脚部とを備えると共に、
前記一対の端部の少なくとも一方に、前記一対の脚部が存在する仮想平面と平行する姿勢で、かつ、前記線材の直径より薄い板厚の板状の支持プレートを連結固定し、この支持プレートに穿設した貫通孔に軸体を挿通し、この軸体を前記端末本体又は可動部に支持している携帯端末。
【請求項２】
前記端末本体又は可動部に備えたフレームに膨出部が形成されると共に、この膨出部に前記軸体が挿通する支持孔が形成され、
前記軸体は、一方の端部に前記支持プレートの抜け止め部が形成され、他方の端部に固定用端部が形成され、
前記軸体を、前記支持プレートの貫通孔に挿通した状態で前記フレームの支持孔に対して膨出部の突出する方向から挿通し、膨出部の窪む部位において前記固定用端部がカシメ固定されている請求項１記載の携帯端末。
【請求項３】
前記支持プレートと前記フレームとの間で、前記膨出部の周囲を取り囲むリング状のシートを備えている請求項２記載の携帯端末。
【請求項４】
端末本体にスライド自在に可動部が連結され、前記端末本体と可動部との間に付勢力を作用させるトーションバネを備えている携帯端末であって、
前記トーションバネが、線材の成形によりコイル状部と、コイル状部に連設される一対の線状の脚部とを備えると共に、一対の脚部の端部の少なくとも一方を、前記一対の脚部が存在する仮想平面上でループ状に曲げ成形してフックが形成され、
前記端末本体又は可動部に備えたフレームに、前記フックのループの半径より小さい半径となる円形の領域を突出させた膨出部が形成され、この円形の領域の中心に支持貫通孔が穿設され、
前記フックのループに挿通した軸体を、前記膨出部の突出する方向から前記支持貫通孔に挿通し、この軸体を前記フレームに支持している携帯端末。
【請求項５】
前記軸体の一方の端部に前記ループの抜け止め部が形成され、他方の端部に固定用端部が形成され、前記軸体を、前記ループに挿通した状態で前記フレームの支持貫通孔に対して膨出部の突出する方向から挿通し、膨出部の窪む部位において前記固定用端部をカシメ固定している請求項４記載の携帯端末。
【請求項６】
前記フックと前記フレームとの間で、前記膨出部の周囲を取り囲むリング状のワッシャを備えている請求項４又は５記載の携帯端末。
【請求項７】
端末本体にスライド自在に可動部が連結され、前記端末本体と可動部との間に付勢力を作用させるトーションバネを備えている携帯端末であって、
前記トーションバネが、線材の成形によりコイル状部と、コイル状部に連設される一対の線状の脚部とを備えると共に、この一対の脚部の一方に一対の脚部が存在する仮想平面と平行する姿勢で、かつ、前記線材の直径より薄い板厚の板状の支持プレートを連結固定し、この一対の脚部の他方に一対の脚部が存在する仮想平面上でループ状に曲げ成形してフックが形成され、
前記支持プレートに穿設した貫通孔に挿通した軸体を、前記端末本体又は可動部の一方に備えたフレームに支持し、
前記端末本体又は可動部の他方に備えたフレームに前記フックのループの半径より小さい半径となる円形の領域を突出させた膨出部が形成され、この円形の領域の中心に支持貫通孔が形成され、前記フックのループに挿通した軸体を前記支持貫通孔に対して膨出部の突出する方向から挿通し、この軸体を前記端末本体又は可動部の他方に備えたフレームに支持している携帯端末。
【請求項８】
前記端末本体又は可動部の一方に備えたフレームに膨出部が形成され、この膨出部に支持孔が形成され、
前記支持プレートを支持する軸体の一方の端部に支持プレートの抜け止め部が形成され、他方の端部に固定用端部が形成され、この軸体を支持プレートの貫通孔に挿通した状態で前記膨出部の支持孔に対して膨出部の突出方向から挿通し、膨出部の窪む部位においてこの軸体の固定用端部をカシメ固定すると共に、
前記フックを支持する軸体の一方の端部にフックの抜け止め部が形成され、他方の端部に固定用端部が形成され、この軸体をフックのループに挿通した状態で膨出部の支持貫通孔に挿通し、膨出部の窪む位置においてこの軸体の固定用端部をカシメ固定している請求項７記載の携帯端末。
【請求項９】
前記支持プレートと前記フレームとの間で、前記膨出部の周囲を取り囲むリング状のシートを備え、前記フックと前記フレームとの間で前記膨出部の周囲を取り囲むリング状のワッシャを備えている請求項８記載の携帯端末。
【発明の詳細な説明】
【技術分野】
【０００１】
本発明は、端末本体にスライド自在に可動部が連結され、前記端末本体と可動部との間に付勢力を作用させるトーションバネを備えている携帯端末に関する。
【背景技術】
【０００２】
上記のようにトーションバネからの付勢力を作用させるように構成された携帯端末として特許文献１、特許文献２に記載されるものが存在する。
【０００３】
特許文献１では、マイク、キーボードを有した第１の筐体と、スピーカ部、ディスプレイ部を有した第２の筐体とを重ね合わせる形態で、かつ、スライド自在に連結している。そして、第１の筐体と第２の筐体とが重なり合う始端位置と、第１の筐体に対して第２の筐体がスライドした終点位置とに付勢するトーションバネを備えている。
【０００４】
特許文献２では、板状の部材（第１スライドヒンジ部）に突出部を形成し、この突出部に形成した孔部（第１スプリングホール）と、トーションバネの端部のループ状部位とに貫通するリベットによって、トーションバネを支持する構造が示されている。
【０００５】
【特許文献１】特開２００５‐２１０６４９号公報
【特許文献２】韓国登録実用新案第２０−０３９５８５７号明細書
【発明の開示】
【発明が解決しようとする課題】
【０００６】
ユーザが常時身に着けて使用されることの多い携帯電話機や、持ち運ぶことの多いＰＤＡ（Personal Digital Assistance の略称）のように小型化が要求される携帯端末では、端末本体と可動部とがスライド自在に連結する構造を備えながら、全体の薄さも求められている。
【０００７】
トーションバネはコイル部と、このコイル部に連なる線状の一対の脚部を備えている。また、トーションバネを取付けるために、脚部夫々の端部を曲げ成形することによってループ状部を形成し、このループ状部にリベット等の軸体を挿通し、この軸体をフレーム等に支持する構成が多く採用されている。この構成では、２部材が相対的にスライドする際には、トーションバネの姿勢変化に伴いトーションバネは軸体の周りで回動する。
【０００８】
トーションバネの脚部の端部を支持する軸体として、ループ状部の抜け出しを阻止するため、例えば、リベットの頭部のように大径の抜け止め部が形成されたものを想定できる。また、この軸体でトーションバネの脚部を回動自在に支持するものとしては、フレーム等の表面から抜け止め部までの距離は、トーションバネの脚部の線材の直径より僅かに大きい値に設定する必要がある。
【０００９】
リベットでは、頭部の反対側の端部をカシメによって固定する構造であるため、このカシメ部分がフレームの裏面側に突出する。トーションバネの端部を支持する軸体としてボルトを用いた場合でも、リベットを用いた場合と同様にナットの部位がフレームの裏面側に突出する。
【００１０】
しかしながら、このようにフレーム等の表面から抜け止め部まで距離をトーションバネの脚部の線材の直径より大きくしたものでは、軸体の軸芯方向での長さが長くなりやすい。特に、トーションバネを支持するための軸体としてリベットを用いた場合のように、カシメ部分がフレームの裏面側に突出する構造では、このカシメ部分の突出によっても携帯端末の厚さが拡大しやすいものとなり改善の余地がある。
【００１１】
本発明の目的は、トーションバネの支持構造の合理的な改良により、携帯端末をより薄くする点にある。
【課題を解決するための手段】
【００１２】
本発明の特徴は、端末本体にスライド自在に可動部が連結され、前記端末本体と可動部との間に付勢力を作用させるトーションバネを備えている携帯端末であって、
前記トーションバネが、線材の成形によりコイル状部と、コイル状部に連設される一対の線状の脚部とを備えると共に、
前記一対の端部の少なくとも一方に、前記一対の脚部が存在する仮想平面と平行する姿勢で、かつ、前記線材の直径より薄い板厚の板状の支持プレートを連結固定し、この支持プレートに穿設した貫通孔に軸体を挿通し、この軸体を前記端末本体又は可動部に支持している点にある。
【００１３】
この構成によると、トーションバネを構成する線材の直径より支持プレートの厚さが薄く構成されているので、軸体のフレームからの突出長さを短くした状態で支持プレートを回動自在に端末本体又は可動部に支持できる。つまり、貫通孔に挿通する軸体の突出量を短くできるのである。その結果、トーションバネの支持構造の合理的な改良により、携帯端末をより薄くできる。
【００１４】
本発明は、前記端末本体又は可動部に備えたフレームに膨出部が形成されると共に、この膨出部に前記軸体が挿通する支持孔が形成され、前記軸体は、一方の端部に前記支持プレートの抜け止め部が形成され、他方の端部に固定用端部が形成され、前記軸体を、前記支持プレートの貫通孔に挿通した状態で前記フレームの支持孔に対して膨出部の突出する方向から挿通し、膨出部の窪む部位において前記固定用端部がカシメ固定されても良い。これによると、フレームの支持孔に挿通した軸体の固定用端部をカシメ固定した場合に、このカシメ固定の部位が、抜け止め部と逆側のフレームの表面に突出することがない。
【００１５】
本発明は、前記支持プレートと前記フレームとの間で、前記膨出部の周囲を取り囲むリング状のシートを備えても良い。これによると、支持プレートとフレームとの間にシートが介在することになり、支持プレートの姿勢を安定させ、コジリを発生させずに軸体を中心とした支持プレートの円滑な回動を実現する。
【００１６】
本発明の特徴は、端末本体にスライド自在に可動部が連結され、前記端末本体と可動部との間に付勢力を作用させるトーションバネを備えている携帯端末であって、
前記トーションバネが、線材の成形によりコイル状部と、コイル状部に連設される一対の線状の脚部とを備えると共に、一対の脚部の端部の少なくとも一方を、前記一対の脚部が存在する仮想平面上でループ状に曲げ成形してフックが形成され、
前記端末本体又は可動部に備えたフレームに、前記フックのループの半径より小さい半径となる円形の領域を突出させた膨出部が形成され、この円形の領域の中心に支持貫通孔が穿設され、
前記フックのループに挿通した軸体を、前記膨出部の突出する方向から前記支持貫通孔に挿通し、この軸体を前記フレームに支持している点にある。
【００１７】
この構成によると、膨出部の半径がトーションバネの端部に形成されたフックのループの半径より小さいので、軸体の軸芯で直交する方向視において、フックのループ部分と膨出部とを重複する位置に配置することが可能となり、しかも、例えば、軸体の端部をカシメによって固定する構造、あるいは、軸体の端部を溶接によって固定する構造を採用した場合のようにフレームの裏面側に軸体の端部が突出する構造であっても、この端部を膨出部の内部に収め軸体の全長を短縮できる。その結果、トーションバネの支持構造の合理的な改良により、携帯端末をより薄くできる。
【００１８】
本発明は、前記軸体の一方の端部に前記ループの抜け止め部が形成され、他方の端部に固定用端部が形成され、前記軸体を、前記ループに挿通した状態で前記フレームの支持貫通孔に対して膨出部の突出する方向から挿通し、膨出部の窪む部位において前記固定用端部をカシメ固定しても良い。これによると、フレームの支持孔に挿通した軸体の固定用端部をカシメ固定した場合に、このカシメ固定の部位が抜け止め部と逆側のフレームの表面に突出することがない。
【００１９】
本発明は、前記フックと前記フレームとの間で、前記膨出部の周囲を取り囲むリング状のワッシャを備えても良い。これによると、フックとフレームとの間にワッシャが介在することになり、フックの姿勢を安定させ、コジリを発生させずに軸体を中心としたフックの円滑な回動を実現する。
【００２０】
本発明の特徴は、端末本体にスライド自在に可動部が連結され、前記端末本体と可動部との間に付勢力を作用させるトーションバネを備えている携帯端末であって、
前記トーションバネが、線材の成形によりコイル状部と、コイル状部に連設される一対の線状の脚部とを備えると共に、この一対の脚部の一方に一対の脚部が存在する仮想平面と平行する姿勢で、かつ、前記線材の直径より薄い板厚の板状の支持プレートを連結固定し、この一対の脚部の他方に一対の脚部が存在する仮想平面上でループ状に曲げ成形してフックが形成され、
前記支持プレートに穿設した貫通孔に挿通した軸体を、前記端末本体又は可動部の一方に備えたフレームに支持し、
前記端末本体又は可動部の他方に備えたフレームに前記フックのループの半径より小さい半径となる円形の領域を突出させた膨出部が形成され、この円形の領域の中心に支持貫通孔が形成され、前記フックのループに挿通した軸体を前記支持貫通孔に対して膨出部の突出する方向から挿通し、この軸体を前記端末本体又は可動部の他方に備えたフレームに支持している点にある。
【００２１】
この構成によると、トーションバネを構成する線材の直径より支持プレートの厚さが薄く構成されているので、軸体のフレームからの突出長さを短くした状態で支持プレートを回動自在に端末本体又は可動部に支持できる。また、膨出部の半径がトーションバネの端部に形成されたフックのループの半径より小さいので、軸体の軸芯で直交する方向視において、フックのループ部分と膨出部とを重複する位置に配置することが可能となり、しかも、例えば、軸体の端部をカシメによって固定する構造、あるいは、軸体の端部を溶接によって固定する構造を採用した場合のようにフレームの裏面側に軸体の端部が突出する構造であっても、この端部を膨出部の内部に収め軸体の全長を短縮できる。その結果、トーションバネの支持構造の合理的な改良により、携帯端末をより薄くできる。
【００２２】
本発明は、前記端末本体又は可動部の一方に備えたフレームに膨出部が形成され、この膨出部に支持孔が形成され、前記支持プレートを支持する軸体の一方の端部に支持プレートの抜け止め部が形成され、他方の端部に固定用端部が形成され、この軸体を支持プレートの貫通孔に挿通した状態で前記膨出部の支持孔に対して膨出部の突出方向から挿通し、膨出部の窪む部位においてこの軸体の固定用端部をカシメ固定すると共に、前記フックを支持する軸体の一方の端部にフックの抜け止め部が形成され、他方の端部に固定用端部が形成され、この軸体をフックのループに挿通した状態で膨出部の支持貫通孔に挿通し、膨出部の窪む位置においてこの軸体の固定用端部をカシメ固定しても良い。これによると、フレームの支持孔に挿通した軸体の固定用端部をカシメ固定した場合、及び、フレームの支持貫通孔に挿通した軸体の固定用端部をカシメ固定した場合に、これらのカシメ固定の部位が、抜け止め部と逆側のフレームの表面に突出することがない。
【００２３】
本発明は、前記支持プレートと前記フレームとの間で、前記膨出部の周囲を取り囲むリング状のシートを備え、前記フックと前記フレームとの間で前記膨出部の周囲を取り囲むリング状のワッシャを備えても良い。これによると、支持プレートとフレームとの間にシートが介在し、フックとフレームとの間にワッシャが介在するため、支持プレートとフックとの姿勢を安定させた状態でトーションバネ全体の姿勢変化を実現する。
【発明を実施するための最良の形態】
【００２４】
以下、本発明の実施形態を図面に基づいて説明する。
図１（ａ）、（ｂ）には携帯端末の一例として携帯電話機を示している。この携帯電話機は、ディスプレイ１、複数のコントロールキー２、スピーカ３、通信装置（図示せず）等を備えた端末本体Ａと、複数の入力キーを備えたキーボード５、マイクロホン６等を備えた可動部Ｂとをスライド自在に連結した構造を有している。
【００２５】
この携帯電話機は、図１（ａ）に示すように端末本体Ａから可動部Ｂを引き出した伸張姿勢と、図１（ｂ）に示すように端末本体Ａに可動部Ｂが重なり合うまで押し込んだ格納姿勢とに切換自在に構成されている。
【００２６】
この伸張姿勢と格納姿勢とはトーションバネＳ（図４を参照）の付勢力によって維持される。このトーションバネＳを備えたため、例えば、端末本体Ａから可動部Ｂを引き出す方向に（格納姿勢から伸張姿勢に）人為操作した場合には、操作開始時にはトーションバネＳの付勢力に抗して引き操作を行うことになるが、操作ストロークの中間の中立位置（後述する中立線Ｘに対応している）を超えた直後に、トーションバネＳから可動部Ｂに対して伸張姿勢に向けて付勢力が作用するため、操作力を作用させずとも可動部Ｂが作動端まで作動する。これとは逆に端末本体Ａに可動部Ｂを押し込む方向に人為操作した場合にも、前述と同様に操作の途中でトーションバネＳの付勢力の作用方向が切換わる形態での作動が行われる。
【００２７】
端末本体Ａと可動部Ｂとをスライド自在に連結する構造として、図２、図３に示すように、端末本体Ａの裏面側に固定した主フレーム１１と、可動部Ｂの表面側に固定したスライドフレーム１２を備えると共に、主フレーム１１とスライドフレーム１２との間にトーションバネＳを備えている。
【００２８】
主フレーム１１は、幅方向での両端部にレール状のガイド部１１Ａを形成している。また、長手方向での中央部で幅方向の一方の端部近くに、スライドフレーム１２が配置される方向に突出する膨出部１１Ｂを形成し、この膨出部１１Ｂにバネ支持用の支持孔１１Ｃが形成されている。
【００２９】
前記スライドフレーム１２は、主フレーム１１から分離不能となるようにガイド部１１Ａを外側から抱き込む係合部１２Ａを、その幅方向の両端部に形成している。また、幅方向の両端部の近傍にビス挿通用の複数の連結孔１２Ｂを形成し、その幅方向の一方の端部近くに、主フレーム１１が配置される方向に突出する膨出部１２Ｃを形成し、この膨出部１２Ｃにバネ支持用の支持貫通孔１２Ｄが形成されている。
【００３０】
図７に示すように、膨出部１２Ｃは半径Ｒ１となる円形の領域を突出することで形成され、この円形の領域の中心位置に支持貫通孔１２Ｄが穿設されている。尚、この膨出部１２Ｃと支持貫通孔１２Ｄとはスライドフレーム１２のプレス加工時に形成される。
【００３１】
前記トーションバネＳは、ピアノ線等のバネ材料で成る線材の曲げ成形によりコイル状部１５と、コイル状部に連設される一対の脚部１６とを備えている。このトーションバネＳは、一対の脚部１６が存在する仮想平面と平行する姿勢となる板状の支持プレート１７を、一方の脚部１６の端部に溶接固定している。また、他方の脚部１６の端部を、前記仮想平面上で、膨出部１２Ｃの半径より大きい半径Ｒ２（図７を参照）となるループ状に曲げ成形することによりフック１６Ａを形成している。
【００３２】
このトーションバネＳとして、一対の脚部１６の端部夫々に支持プレート１７を溶接固定したものを用いても良い。これと同様に、このトーションバネＳとして、一対の脚部１６の端部夫々にフック１６Ａを形成しても良い。尚、このように一対のフック１６Ａを形成したものでは、そのフック１６Ａのループの半径Ｒ２より小さい半径Ｒ１の膨出部１２Ｃに支持される構成が必要となる。
【００３３】
図３、図６に示すように、支持プレート１７は、脚部１６の直径より薄い板厚の金属材料が用いられると共に、貫通孔１７Ａが穿設されている。特に、脚部１６に支持プレート１７を溶接固定した状態では、この支持プレート１７の厚さ方向での中央と、脚部１６の軸芯１６Ｘ（線材の軸芯）とが略一致するように位置関係が設定される。
【００３４】
尚、支持プレート１７は一対の脚部１６が存在する仮想平面と平行する姿勢で、かつ、支持プレート１７の表面が脚部１６の直径方向に突出しない位置に連結固定されるものであれば良く、支持プレート１７の厚さ方向での中央と、脚部１６の軸芯１６Ｘとを必ずしも一致させる必要はない。
【００３５】
この支持プレート１７を脚部１６に連結固定する手段として、支持プレート１７にトーションバネＳの脚部１６の直径に等しい幅のスリット状の切り欠きを形成し、この切り欠き部に脚部１６の端部を挿入した状態で脚部１６と支持プレート１７とを溶接固定（ろう付けでも良い）している。
【００３６】
また、この支持プレート１７を脚部１６に連結固定する構造として、図８に示すように支持プレート１７の側端部に溶接固定する構造を採用しても良い。尚、支持プレート１７を脚部１６の端部に溶接固定する形態として、溶接固定される脚部１６の端部の一部を切削加工等によって切欠き、この切欠部を支持プレート１７の表面に接触させて溶接固定しても良い。
【００３７】
前記トーションバネＳの脚部１６に溶接固定された支持プレート１７を主フレーム１１の支持孔１１Ｃに支持するために用いられる軸体としての支持リベット２１が図５、図６に示すように構成されている。つまり、支持リベット２１は、金属材料を用いて貫通孔１７Ａより充分に大径となる抜け止め部２１Ａと、貫通孔１７Ａに挿通する軸部２１Ｂと、この軸部２１Ｂより小径で抜け止め部２１Ａと逆側位置の固定用端部２１Ｃとが形成されている。
【００３８】
前記トーションバネＳの脚部１６に形成されたフック１６Ａを前記スライドフレーム１２の支持貫通孔１２Ｄに支持するために用いられる軸体としての連結リベット２２が図７に示すように構成されている。つまり、連結リベット２２は、金属材料を用いてフック１６Ａの開口径より充分に大径となる抜け止め部２２Ａと、フック１６Ａに挿通する軸部２２Ｂと、この軸部２２Ｂより小径で抜け止め部２２Ａと逆側位置の固定用端部２２Ｃとが形成されている。
【００３９】
〔主フレームとスライドフレームとの連結〕
この主フレーム１１とスライドフレーム１２とを連結する際には、まず、連結リベット２２を、脚部１６に形成したフック１６Ａのループ、ワッシャ２４夫々に挿通し、更に、この連結リベット２２を膨出部１２Ｃの突出する方向から支持貫通孔１２Ｄに挿通する。そして、この連結リベット２２の固定用端部２２Ｃをスライドフレーム１２の膨出部１２Ｃの窪む部位においてスライドフレーム１２の裏面（抜け止め部２２Ａと逆側の表面）から突出しないようにカシメ固定する。
【００４０】
このように、フック１６Ａをスライドフレーム１２の膨出部１２Ｃの部位に支持することにより、膨出部１２Ｃの外周を取り囲むようにフック１６Ａを配置すると同時に、膨出部１２Ｃから裏面側に突出しないように連結リベット２２の固定用端部２２Ｃをカシメ固定することが可能となる。
【００４１】
尚、フック１６Ａのループの半径Ｒ２より膨出部１２Ｃの半径Ｒ１を小さくしているが、理想的な半径の寸法関係としては、図７に示すように、フック１６Ａの内周部分と膨出部１２Ｃの外周部分との間に僅かな隙間が形成される程度の寸法関係が望ましい。
【００４２】
次に、主フレーム１１のガイド部１１Ａにスライドフレーム１２の係合部１２Ａを係合させた状態で、主フレーム１１の幅方向での両端近傍に樹脂製のガイドロッド２５を接触させる位置関係で、スライドフレーム１２の連結孔１２Ｂに挿通したビス２６でガイドロッド２５をスライドフレーム１２に固定する。
【００４３】
次に、支持リベット２１を、支持プレート１７の貫通孔１７Ａ、リング状のシート２７夫々に挿通し、更に、この支持リベット２１を膨出部１１Ｂの突出する方向から支持孔１１Ｃに挿通する。そして、この支持リベット２１の固定用端部２１Ｃを主フレーム１１の膨出部１１Ｂの窪む部位において主フレーム１１の裏面（抜け止め部２１Ａと逆側の表面）から突出しないようにカシメ固定する。
【００４４】
このように、支持プレート１７を主フレーム１１の膨出部１１Ｂの部位に支持することにより、支持リベット２１の突出量を小さくできると同時に、膨出部１１Ｂから裏面側に突出しないように支持リベット２１の固定用端部２１Ｃをカシメ固定することが可能となる。
【００４５】
従って主フレーム１１にスライドフレーム１２をスライド自在に連結した状態では、ガイドロッド２５が主フレーム１１の端部に接触することによりガタツキなく円滑なスライドを実現する。
【００４６】
図４（ａ）、（ｂ）に示す如く、主フレーム１１のフレーム面と直交する方向視において、支持リベット２１の軸芯Ｐを通過し、かつ、主フレーム１１とスライドフレーム１２とのスライド方向と直交する姿勢の仮想直線を中立線Ｘに設定できる。そして、図４（ａ）に示すように、スライドフレーム１２が格納姿勢にある場合には、トーションバネＳの付勢力によってスライドフレーム１２が格納姿勢に維持される。尚、この格納姿勢を決めるためのストッパー（図示せず）が主フレーム１１とスライドフレーム１２との間等に備えられている。
【００４７】
スライドフレーム１２を格納姿勢から伸張姿勢の方向に操作した場合には、連結リベット２２の軸芯Ｑが中立線Ｘを超えるまでトーションバネＳの付勢力は格納姿勢の方向に作用するものの、図４（ｂ）に示すように軸芯Ｑが中立線Ｘを超えた後には、トーションバネＳの付勢力は伸張姿勢の方向に作用する。これにより、スライドフレーム１２は伸張姿勢に達するまで移動し伸張姿勢に維持される。尚、この伸張姿勢を決めるためのストッパー（図示せず）が主フレーム１１とスライドフレーム１２との間等に備えられている。
【００４８】
これとは逆に、スライドフレーム１２を伸張姿勢から格納姿勢の方向に操作した場合にも、前述と同様に中立線Ｘを基準にした軸芯Ｑの位置によりトーションバネＳの付勢方向が切り換わる。
【００４９】
連結リベット２２の部位に使用されるワッシャ２４は、この連結リベット２２が挿通するフック１６Ａに連なる脚部１６とスライドフレーム１２との間に隙間を作り出す。これと同様に、支持リベット２１の部位に使用されるシート２７は、この支持リベット２１が挿通する支持プレート１７に連なる脚部１６と主フレーム１１との間に隙間を作り出す。このように隙間を作り出すことにより、トーションバネＳの一対の脚部１６とコイル状部１５とが主フレーム１１、あるいは、スライドフレーム１２に接触する不都合を回避して円滑な作動を実現する。
【００５０】
〔実施形態の作用・効果〕
このように、本発明によるとトーションバネＳの脚部１６の端部に備えた支持プレート１７が支持リベット２１によって膨出部１１Ｂの部位に支持されるので、例えば、脚部１６の端部をループ状に成形したフックにリベットを挿通して支持プレート１７に単純にカシメ固定するものと比較すると、この支持リベット２１の固定用端部２１Ｃが主フレーム１１の裏面側に突出する現象を抑制しながら、この支持リベット２１の長さの短縮を可能にし、携帯電話機の厚さの低減を実現している。
【００５１】
また、トーションバネＳの脚部１６の端部に形成したフック１６Ａのループが連結リベット２２によって膨出部１２Ｃの部位を取り囲むことにより、連結リベット２２の軸芯と直交する方向視において膨出部１２Ｃとフック１６Ａとの一部が重複する位置関係で配置されるので、このフック１６Ａにリベットを挿通して主フレーム１１に単純にカシメ固定するものと比較すると、連結リベット２２がスライドフレーム１２の裏面側に突出する現象を抑制しながら、この連結リベット２２の長さの短縮を可能にし、結果として携帯電話機の厚さの低減を実現している。
【００５２】
特に、主フレーム１１のフレーム面と直交する方向視において、この支持リベット２１の抜け止め部２２Ａと重複する領域をスライドフレーム１２が移動する構造であっても、支持リベット２１の抜け止め部２１Ａの突出量を小さくできるので、この抜け止め部２１Ａがスライドフレーム１２の端部に接触し、スライド不能に陥る不都合を抑制できるものにしている。
【図面の簡単な説明】
【００５３】
【図１】携帯電話機の伸張姿勢と格納姿勢とを示す斜視図
【図２】格納姿勢と伸張姿勢とに対応した主フレームとスライドフレームとの斜視図
【図３】主フレームとスライドフレームとの分解斜視図
【図４】格納姿勢と伸張姿勢とに対応するトーションバネを示す図
【図５】支持プレートの支持構造を示す断面図
【図６】支持プレートの部位の支持構造を示す分解斜視図
【図７】フックの部位の支持構造を示す断面図
【図８】支持プレートと脚部とを連結固定する構造の別実施形態を示す図
【符号の説明】
【００５４】
１１          フレーム（主フレーム）
１１Ｂ        膨出部
１１Ｃ        支持孔
１２          フレーム（スライドフレーム）
１２Ｃ        膨出部
１２Ｄ        支持貫通孔
１５          コイル状部
１６          脚部
１６Ａ        フック
１７          支持プレート
１７Ａ        貫通孔
２１          軸体（支持リベット）
２１Ａ        抜け止め部
２１Ｃ        固定用端部
２２          軸体（連結リベット）
２２Ａ        抜け止め部
２２Ｃ        固定用端部
２４          ワッシャ
２７          シート
Ａ            端末本体
Ｂ            可動部
Ｓ            トーションバネ
【図１】
0004731545.tif 000002
【図２】
0004731545.tif 000003
【図３】
0004731545.tif 000004
【図４】
0004731545.tif 000005
【図５】
0004731545.tif 000006
【図６】
0004731545.tif 000007
【図７】
0004731545.tif 000008
【図８】
0004731545.tif 000009